(57)【要約】　　　（修正有）【課題】構成が簡素で部品点数が少なく、取り付け取り外しが容易であるとともにオプション扱いが可能である安価なアンテナレドームを提供する。【解決手段】アンテナレドーム１は、内周面を有し、係合部ｋとアンテナＡｎの一部を挟持する当接部ｒとを有する筒部２Ａと、筒部２Ａの他方端部に連設されるとともに筒部２Ａの内周面と連続する開口を有する。第１突出部と背方に突設される第２突出部とを有するシート支持リング部とを具えるレドーム本体２と、所定位置に張力設定部を有するシート３と、レドーム本体２の第２突出部に嵌合する凹部とレドーム本体２の筒部２Ａを挿通する内孔とを有するシート押さえ４と、レドーム本体２とシート３とシート押さえ４とを一体に固定する固定手段とを備えている。【選択図】　図１
2004015317.tif 000002
【特許請求の範囲】
【請求項１】
レドーム本体とシートとシート押さえとを備え、開口面型のアンテナに装着されるアンテナレドームであって、
前記アンテナ外周部を遊嵌する内周面を有するとともに一方端部にアンテナに係合する係合部と前記内周面上に前記アンテナに当接して前記係合部とともにアンテナの一部を挟持する当接部とを有する筒部と、前記筒部の他方端部に連設されるとともに前記筒部の内周面と連続する開口を有し、周縁域に前方に突設される第１突出部と背方に突設される第２突出部とを有するシート支持リング部とを具えるレドーム本体と、
前記シート支持リング部の開口を前方から覆うとともに、前記シートに適切な張力を設定する所定位置に張力設定部を有するシートと、
前記レドーム本体の第２突出部に嵌合する凹部と前記レドーム本体の筒部を挿通する内孔とを有するシート押さえと、
前記レドーム本体と前記シートと前記シート押さえとを一体に固定する固定手段とを備え、
前記シートによって、前記レドーム本体におけるシート支持リング部の開口を前方から覆い、前記第１突出部および前記第２突出部上で前記張力設定部を含んで折り返し、
前記シート押さえの内孔を前記レドーム本体の筒部を挿通して前記シート押さえの凹部を前記折り返されたシートを介して前記レドーム本体の第２突出部に嵌合させて、前記シート押さえを前記折り返されたシートを介して前記レドーム本体のシート支持リング部の背方側に配し、前記折り返されたシート上の張力設定部を前記レドーム本体のシート支持リング部および前記シート押さえとともに前記固定手段によって固定してアンテナレドーム体を形成することを特徴とするアンテナレドーム。
【請求項２】
レドーム本体とシートとシート押さえとを備え、開口面型のアンテナに装着されるアンテナレドームであって、
前記アンテナ外周部を遊嵌する内周面を有するとともに一方端部にアンテナに係合する係合部と前記内周面上に前記アンテナに当接して前記係合部とともにアンテナの一部を挟持する当接部とを有する筒部と、前記筒部の他方端部に連設されるとともに前記筒部の内周面と連続する開口を有し、周縁域に前方に突設される第１突出部と背方に突設される第２突出部と複数の第１シート取り付け部とを有するシート支持リング部とを具えるレドーム本体と、
前記シート支持リング部の開口を前方から覆うとともに、前記レドーム本体の各第１シート取り付け部にそれぞれ組み付けられ前記シートに適切な張力を付与する所定位置に複数の取り付け孔を有するシートと、
前記レドーム本体の第２突出部に嵌合する凹部と前記レドーム本体の複数の第１シート取り付け部に対応する第２シート取り付け部と前記レドーム本体の筒部を挿通する内孔とを有するシート押さえと、
前記レドーム本体と前記シートと前記シート押さえとを一体に固定する固定手段とを備え、
前記シートによって、前記レドーム本体におけるシート支持リング部の開口を前方から覆い前記第１突出部および前記第２突出部上で折り返し、前記シートの各取り付け孔を対応する前記レドーム本体の第１シート取り付け部に合わせ、
前記シート押さえの内孔を前記レドーム本体の筒部を挿通して前記シート押さえの凹部を前記折り返されたシートを介して前記レドーム本体の第２突出部に嵌合させて、前記シート押さえを前記折り返されたシートを介して前記レドーム本体のシート支持リング部の背方側に配し、前記シート押さえの各第２シート取り付け部を、対応する前記シートの取り付け孔および前記レドーム本体の第１シート取り付け部に合わせて前記固定手段によってそれぞれ固定しアンテナレドーム体を形成することを特徴とするアンテナレドーム。
【請求項３】
前記レドーム本体の筒部は、前記当接部の近傍域に複数の固定用孔を有し、
さらに、前記レドーム本体の筒部外周面に巻き付けられる長さを有するとともに前記筒部の各固定用孔に嵌入する位置決め突起を有するバンド帯と前記バンド帯における一方端部と他方端部とを互いに連結する連結部とを有する固定バンドとを備え、
前記アンテナレドーム体における前記係合部と前記当接部とによって前記アンテナの一部を挟持して前記アンテナレドーム体を前記アンテナに保持し、
前記固定バンドのバンド帯を、各位置決め突起をそれぞれ対応する前記アンテナレドーム体の筒部の固定用孔に嵌入して該筒部外周面上に巻き付け、前記バンド帯の一方端部と他方端部とを互いに連結部で連結することによって前記固定バンドで前記アンテナレドーム体の筒部を締め付け、前記アンテナに装着することを特徴とする請求項１または請求項２に記載のアンテナレドーム。
【発明の詳細な説明】
【０００１】
【発明の属する技術分野】
本発明は、アンテナレドームに係り、より詳細には通信用アンテナを降雪等から保護するために取り付けられるアンテナレドームに関する。
【０００２】
【従来の技術】
通信用アンテナが降雪地帯に設置された場合、通信用アンテナへの着雪により電波レベルが低下し、回線断となる不具合が発生することがある。
【０００３】
上記不具合を解決すべく考案された従来のアンテナレドームの一つであるシートレドームは大型アンテナ用であり、シートでアンテナ前面を覆う構成である。
【０００４】
本アンテナレドームは、シート縁部の複数箇所に設置された複数のバネでシート縁部を引っ張る構造であり、各バネの張力調整用のツマミをそれぞれ廻すことによりシート縁部に付加する張力を調整し、適切な張力をシート全体に付加している。
【０００５】
【発明が解決しようとする課題】
ところで、上述のシートレドームは、シート縁部の複数箇所を複数のバネにより引っ張りツマミで張力を調整する構造のため、取り付け構造が複雑であり、また、アンテナ側にもレドーム装着用の構成が必要で、高コストとなっている。
【０００６】
また、シートレドームを通信用アンテナから着脱するのに適した構造でないため、シートレドームの交換作業が煩雑であり、さらに、シートレドームのオプション品扱いが困難であるという問題がある。
【０００７】
本発明は上記実状に鑑み、構成が簡素で部品点数が少なく、取り付け取り外しが容易であるとともにオプション扱いが可能である安価なアンテナレドームの提供を目的とする。
【０００８】
【課題を解決するための手段】
上記目的を達成するべく、本発明の請求項１に関わるアンテナレドームは、レドーム本体とシートとシート押さえとを備え、開口面型のアンテナに装着されるアンテナレドームであって、アンテナ外周部を遊嵌する内周面を有するとともに一方端部にアンテナに係合する係合部と内周面上にアンテナに当接して係合部とともにアンテナの一部を挟持する当接部とを有する筒部と、筒部の他方端部に連設されるとともに筒部の内周面と連続する開口を有し、周縁域に前方に突設される第１突出部と背方に突設される第２突出部とを有するシート支持リング部とを具えるレドーム本体と、シート支持リング部の開口を前方から覆うとともに、シートに適切な張力を設定する所定位置に張力設定部を有するシートと、レドーム本体の第２突出部に嵌合する凹部とレドーム本体の筒部を挿通する内孔とを有するシート押さえと、レドーム本体とシートとシート押さえとを一体に固定する固定手段とを備え、シートによって、レドーム本体におけるシート支持リング部の開口を前方から覆い、第１突出部および第２突出部上で張力設定部を含んで折り返し、シート押さえの内孔をレドーム本体の筒部を挿通してシート押さえの凹部を折り返されたシートを介してレドーム本体の第２突出部に嵌合させて、シート押さえを折り返されたシートを介してレドーム本体のシート支持リング部の背方側に配し、折り返されたシート上の張力設定部をレドーム本体のシート支持リング部およびシート押さえとともに固定手段によって固定してアンテナレドーム体を形成することを特徴としている。
【０００９】
【発明の実施の形態】
以下、実施例を示す図面に基づいて、本発明を詳細に説明する。
【００１０】
本発明を適用した実施例のアンテナレドーム１を設置した通信用アンテナ（以下、アンテナと称す）Ａを図１（ａ）（正面図）、図１（ｂ）（側面図）に示す。
【００１１】
アンテナＡｎは、加入者無線、ＡＤＳＬ（Ａｓｙｍｍｅｔｒｉｃ　　Ｄｉｇｉｔａｌ　　Ｓｕｂｓｃｒｉｂｅｒ　Ｌｉｎｅ）等の通信に用いられる開口面アンテナであり、電波を受信、送信するための球面状の凹部を有する開口面部Ａｎ１を具えている。
【００１２】
アンテナレドーム１は、図１（ｂ）に示すように、アンテナＡｎの開口面部Ａｎ１の外周縁部に沿い円状に連設されてアンテナＡｎ最外周部を形成する縁部突条（アンテナ外周部）Ａｎ２に取り付けられる構成であり、リング状の固定バンド５が巻き付けられアンテナＡｎに固定される。
【００１３】
アンテナレドーム１は、レドーム本体２（図２参照）と、レドーム本体２の前方（反アンテナ固定側）の開口を覆いアンテナＡｎを外界から遮断し保護するシート３（図３参照）と、シート３をレドーム本体２に固定するためのリング状のシート押さえ４（図４参照）と、シート３がシート押さえ４によって固定されたレドーム本体２をアンテナＡｎに固定するための固定バンド５（図５参照）とを備え構成されている。
【００１４】
なお、本実施例においては、シート３がシート押さえ４によってレドーム本体２に固定された組み立て体を、アンテナレドーム体１Ａ（図９（ａ）参照）と称し、アンテナレドーム１は、アンテナレドーム体１Ａと固定バンド５とを備え構成されるという前提で以下、説明を行う。
【００１５】
上記レドーム本体２は、例えばＡＡＳ（ａｃｒｙｌｉｃｇｕｍ　ａｃｒｙｌｏｎｉｔｒｉｌｅ　ｓｔｙｒｅｎｅ）樹脂を用いて成形される樹脂成形品であり、正面図の図２（ａ）、側面図の図２（ｂ）に示すように、アンテナＡｎの上記縁部突条Ａｎ２（図１（ｂ）参照）を内挿する内径ａ１の内周面２Ａ１を有する円筒状の筒部２Ａと、筒部２Ａの前方部を上方から下方にいくに従い奥方になるように斜めに全周を切断した態様で連設され、筒部２Ａの内径ａ１と同寸法の内径の開口２Ｂ２を有するフランジ状のシート支持リング部２Ｂとを具えている。
【００１６】
上記筒部２Ａの後方（アンテナ固定側）縁部には、レドーム本体２をアンテナＡｎに取り付けるために、アンテナＡｎの縁部突条Ａｎ２（図１（ｂ）参照）に係合する爪部ｋ１を有する４つの係合突起（係合部）ｋが後方へ向け突設されている。
【００１７】
ここで、係合突起ｋは、爪部ｋ１が筒部２Ａの内方または外方へ押圧されることにより、弾性変形するように成形されている。なお、係合突起ｋの数は４つに限定されないことは言うまでもない。
【００１８】
そして、図２（ａ）、図２（ｂ）、図２（ｄ）に示すように、筒部２Ａの内周面２Ａ１上の後方（アンテナ固定側）端近傍には、アンテナレドーム体１ＡのアンテナＡｎへの取り付けに際してアンテナＡｎの縁部突条Ａｎ２（図１（ｂ）参照）に当接する直方体状の当接リブ（当接部）ｒが複数個、内方に向い突設されている。
【００１９】
図２（ｂ）に示すように、筒部２Ａの係合突起ｋの爪部ｋ１形成始端から該当接リブｒまでの距離は、アンテナＡｎの縁部突条Ａｎ２の幅寸法ａ２（図１（ｂ）参照）にクリアランスを加えた長さの寸法ａ３である。
【００２０】
また、筒部２Ａの後方端近傍には、スリット状の貫通孔（固定用孔）ｓｈが、例えば幅２ｍｍ、長さａ４を有して複数個、形成されている。
【００２１】
前記レドーム本体２のシート支持リング部２Ｂは、図２（ｂ）、図２（ｃ）に示すように、最外周部に、全周に亘り円錘様を呈してシート支持リング部平面の前方に突出する周状突起（第１突出部）ｔ１と全周に亘り該周状突起ｔ１の突出方向と反対側のシート支持リング部平面の背方に突出する周状突起（第２突出部）ｔ２とを具えている。
【００２２】
なお、周状突起ｔ１、周状突起ｔ２は、図示したように連続して形成することなく間隔をおいて断続的なリブ状に形成してもよい。
【００２３】
また、図２（ａ）、図２（ｂ）、図２（ｃ）に示すように、シート支持リング部２Ｂにおける平板リング状のシート取り付け板２Ｂ１の前面２Ｂ１ａには取り付けボスｂ１が複数個、例えば２０ヵ所、周状突起ｔ１に近接して立設されており、各取り付けボスｂ１の中央部にはシート取り付け板２Ｂ１の後面２Ｂ１ｂから雌ネジ（第１シート取り付け部）ｎ１、例えばＭ３、がそれぞれ２０ヵ所、螺刻されている。
【００２４】
前記シート３は、例えばテフロン（登録商標）が含浸されガラス繊維が混入されたシート材であり、図３に示すように、その縁部近傍にはレドーム本体２のシート支持リング部２Ｂにおける雌ネジｎ１と同数の取り付け孔（張力設定部）３ｈが配設されている。
【００２５】
組み立てに際して、図７、図８（ｂ）に示すように、シート３でその中央部にレドーム本体２のシート支持リング部２Ｂの前面側（反アンテナ固定側）を配して覆い、シート支持リング部２Ｂの周状突起ｔ１の箇所で折り返した場合に、シート３の各取り付け孔３ｈはシート取り付け板２Ｂ１の後面２Ｂ１ｂ側から各雌ネジｎ１の位置に相対するように配設されており、また、シート３は、このようにシート支持リング部２Ｂより一回り大きな寸法で裁断されている。
【００２６】
シート３の取り付け孔３ｈの径は雌ネジｎ１に螺着される雄ネジ（固定手段）ｎ２が挿通する寸法であり、また、上述した位置に配設された取り付け孔３ｈのシート３中心からの寸法は、シート３を上述の如く折り返した際に、レドーム本体２のシート取り付け板２Ｂ１の後面２Ｂ１ｂの雌ネジｎ１の位置より０．１ｍｍ短く設定されている。
【００２７】
このように、取り付け孔３ｈのシート３中心からの位置が、シート３をレドーム本体２のシート支持リング部２Ｂの周状突起ｔ１の箇所で折り返した際に、シート支持リング部２Ｂのシート取り付け板後面２Ｂ１ｂの雌ネジｎ１の位置より適当な長さ短く設定することにより、シート３がレドーム本体２のシート支持リング部２Ｂを覆って取り付けられた際に、適切な張力をもってシート支持リング部２Ｂの前面に張られることになる。
【００２８】
ここで、取り付け孔３ｈが上述の如く短く設定される位置寸法（本実施例では０．１ｍｍ）は、諸条件によるシート３の張り具合により適宜、適切に調整される。
【００２９】
シート３におけるそれぞれの取り付け孔３ｈの外方には、シート３のレドーム本体２への取り付けに際して作業者により把持される取り付け把持部３ｔが、各々外側に突出する態様で裁断されている。
【００３０】
なお、図示した取り付け把持部３ｔは矩形状のものを例示しているが、外側に突出する態様で形成されればその他の形状を採用してもよいことは言うまでもない。
【００３１】
図４に示すシート押さえ４は、例えばＡＡＳ樹脂を用いて成形される樹脂成形品であり、図８（ａ）に示すように、シート押さえ４を、矢印Ｇ方向からレドーム本体２の筒部２Ａを挿通しシート支持リング部２Ｂの後面２Ｂｕに当接する大きさの内径ａ５をもつ内孔４ａを有するリング状に成形されている。
【００３２】
また、シート押さえ４は、レドーム本体２のシート支持リング部２Ｂの背方に突出する周状突起ｔ２（図２（ｂ）、図２（ｃ）参照）に嵌合する周状凹部（凹部）ｏを有しており、図８（ｃ）に示すように、レドーム本体２のシート支持リング部２Ｂの後面２Ｂｕ（図２（ｃ）参照）に沿って当接するような取り付け前面４ｚを有している。
【００３３】
また、シート押さえ４には、その取り付け前面４ｚがレドーム本体２のシート支持リング部２Ｂ後面２Ｂｕにシート３を介して当接する際（後述、図８（ｃ）参照）に、シート支持リング部２Ｂのシート取り付け板２Ｂ１の各雌ネジｎ１に対向する位置にネジ挿通孔（第２シート取り付け部）４ｈ１とネジ頭収容孔４ｈ２とが同心上に形成されている。
【００３４】
ネジ挿通孔４ｈ１は、図８（ａ）に示すように、雄ネジｎ２がシート押さえ４をその後面４ｂ側から挿通してそれぞれ雌ネジｎ１に螺着されるように、雄ネジｎ２（図８（ａ）参照）のネジ部ｎ２１が挿通する大きさの径を有しており、また、ネジ頭収容孔４ｈ２は、この際、雄ネジｎ２のネジ頭ｎ２２が収容される大きさの径を有している。
【００３５】
なお、本実施例においては、レドーム本体２のシート支持リング部２Ｂに配設される雌ネジｎ１の数は２０箇所であるので、各雌ネジｎ１に対応してネジ挿通孔４ｈ１およびネジ頭収容孔４ｈ２が２０箇所形成される。
【００３６】
前記固定バンド５におけるバンド帯５ｔは、金属鋼板、例えば、板厚０．８ｍｍのステンレス鋼板を使用して製造され、図１０に示すように、レドーム本体２の筒部２Ａの外周面に巻き付けられるリング状の細幅の形状をもって形成されている。
【００３７】
図５に示すように、バンド帯５ｔの側部には、リング状中心に向って屈曲された取り付け切り起し（位置決め突起）５ｋが複数、形成されている。
【００３８】
該取り付け切り起し５ｋは、図１（ｂ）に示すように、アンテナＡｎに取り付けられたレドーム本体２の筒部２Ａの外周面後方（アンテナ固定側）部に固定バンド５が巻き付けられた際に、筒部２Ａの貫通孔ｓｈ（図２（ａ）、図２（ｂ）参照）にそれぞれ嵌入される。
【００３９】
そこで、固定バンド５が、レドーム本体２を締め付けアンテナＡｎに確実に固定されるように、取り付け切り起し５ｋの長さは貫通孔ｓｈに対して十分なガタをもつように貫通孔ｓｈの長さａ４（図２（ａ）参照）より短い長さ寸法ａ６（ａ６＜ａ４）を有しており、また、取り付け切り起し５ｋの高さは所定の高さ寸法をもって形成されている。
【００４０】
このように、固定バンド５の取り付け切り起し５ｋは、固定バンド５をレドーム本体２に巻き付けるに際して位置決め、抜け止めの役割を果たしている。
【００４１】
また、固定バンド５のバンド帯５ｔの一方端部にはＬ字状部材５ｌ１が固定されており、他方端部にはＬ字状部材５ｌ２が固定されている。
【００４２】
Ｌ字状部材５ｌ１の立ち上がり部５ｌ１１には雌ネジのネジ穴（連結部）５ａが形成され、Ｌ字状部材５ｌ２の立ち上がり部５ｌ２１には貫通孔が形成され該貫通孔にはネジ穴５ａに螺着されるネジ（連結部）５ｎの雄ネジ部５ｎ１が挿通している。
【００４３】
Ｌ字状部材５ｌ１、Ｌ字状部材５ｌ２１は、例えば厚さ２ｍｍのステンレス鋼板で製造され、固定バンド５の一方端部、他方端部にそれぞれ溶接によって固定される。
【００４４】
上記Ｌ字状部材５ｌ１の立ち上がり部５ｌ１１とＬ字状部材５ｌ２の立ち上がり部５ｌ２１とは、固定バンド５をレドーム本体２の筒部２Ａの外周面に取り付けて、ネジ５ｎをネジ穴５ａに螺着する際には、図１０（ｂ）に示すように、互いに対向するように形成されている。
【００４５】
次に、アンテナレドーム１の組み立て方法について説明する。
【００４６】
まず、図６に示すように、シート３を、その中心がレドーム本体２（図２参照）のシート支持リング部２Ｂの中心に合わうように矢印Ｈ方向に移動してシート支持リング部２Ｂ前面に被せる。
【００４７】
続いて、図７に示すように、シート３をレドーム本体２のシート支持リング部２Ｂに対して各取り付け把持部３ｔ（図３参照）を含むその周縁部３ｓをシート支持リング部２Ｂの周状突起ｔ１、周状突起ｔ２の箇所で折り返し、図７（ｃ）に示すように、シート支持リング部２Ｂにおけるシート取り付け板後面２Ｂ１ｂの各雌ネジｎ１の位置に、シート３の各取り付け孔３ｈの位置を合わせる。
【００４８】
続いて、図８（ａ）に示すように、シート押さえ４を、矢印Ｇ方向に移動して、シート押さえ４の内孔４ａをレドーム本体２の筒部２Ａに挿通してレドーム本体２のシート支持リング部２Ｂ背方に折り返されたシート３後方に配し、図８（ｂ）に示すシート３の各取り付け把持部３ｔを外側に引きつつ、シート押さえ４の各ネジ挿通孔４ｈ１をシート３の各取り付け孔３ｈおよびシート支持リング部２Ｂ後面の各雌ネジｎ１と対向させ合わせる。
【００４９】
そして、シート押さえ４によってレドーム本体２のシート支持リング部２Ｂ後面に折り返されたシート３の周縁部３ｓを押さえる。（図８（ｂ）参照）
続いて、図８（ａ）、（ｂ）に示すように、シート３の各取り付け把持部３ｔを外側に引きつつ、シート押さえ４の後面４ｂ側からネジｎ２をシート押さえ４の各ネジ挿通孔４ｈ１へそれぞれ挿通し、シート３の取り付け孔３ｈを介してレドーム本体２におけるシート支持リング部２Ｂの各雌ネジｎ１に螺着することにより、レドーム本体２のシート支持リング部２Ｂ前面４ｚを覆って張られたシート３をシート押さえ４により押さえ固定する。
【００５０】
上記各ネジｎ２の螺着工程において、ネジｎ２の螺着前は、図８（ｂ）に示すように、シート３はレドーム本体２のシート支持リング部２Ｂ前面４ｚ上において緩んだ状態であるが、ネジｎ２を螺着することにより、図８（ｃ）に示すように、シート３はシート支持リング部２Ｂの周状突起ｔ１および周状突起ｔ２の存在により矢印Ｉ方向に引っ張られ、ピンと張られた状態となる。
【００５１】
各ネジｎ２の螺着が終了すると、シート押さえ４から外側に露出している各取り付け把持部３ｔ（図８（ｃ）参照）を裁断して、図９（ａ）に示すアンテナレドーム体１Ａが完成する。
【００５２】
次に、上述のアンテナレドーム体１ＡをアンテナＡｎに取り付け、アンテナレドーム１をアンテナＡｎに装着する方法について説明する。
【００５３】
図９（ａ）に示すように、アンテナレドーム体１Ａを、矢印Ｋ方向にレドーム本体２の筒部２Ａの中心をアンテナＡｎの開口面部Ａｎ１の中心に合わせつつ移動し、図９（ｂ）に示すように、レドーム本体２の各係合突起ｋの爪部ｋ１を、弾性変形によってアンテナＡｎの縁部突条Ａｎ２を乗り越えさせ係合する。
【００５４】
すると、レドーム本体２における各係合突起ｋの爪部ｋ１と各当接リブｒとによりアンテナＡｎの縁部突条Ａｎ２が挟持され、アンテナレドーム体１ＡがアンテナＡｎに保持される。
【００５５】
続いて、図１０に示すように、固定バンド５の各取り付け切り起し５ｋをアンテナＡｎに保持されたレドーム本体２の筒部２Ａの各貫通孔ｓｈに嵌入しつつ、固定バンド５をレドーム本体２の筒部２Ａの外周面に巻き付ける。
【００５６】
そして、固定バンド５のＬ字状部材５ｌ２に取り付けられたネジ５ｎを、固定バンド５のＬ字状部材５ｌ１のネジ穴５ａに螺着することで固定バンド５のバンド帯５ｔをレドーム本体２の筒部２Ａ外周面に対して締め付け、適当な締め付け力によりアンテナレドーム体１ＡをアンテナＡｎに確実に固定して、アンテナレドーム１をアンテナＡｎに装着する。
【００５７】
上記構成によれば、シート３は、レドーム本体２におけるシート支持リング部２Ｂ前面を覆い周状突起ｔ１、周状突起ｔ２上で折り返されてシート押さえ４により押さえられる。
【００５８】
そして、ネジｎ２が、シート押さえ４、および周状突起ｔ１、周状突起ｔ２上で折り返されたシート３を挿通してレドーム本体２のそれぞれの雌ネジｎ１に螺着される。
【００５９】
よって、シート３が各ネジｎ２の締め付け力によりレドーム本体２の周状突起ｔ１および周状突起ｔ２の存在により引っ張られ、シート３が予め設定した適切な引っ張り力を以ってシート支持リング部２Ｂ前面に張られる。
【００６０】
このように、シート３は、ネジｎ２を螺着することによりレドーム本体２の周状突起ｔ１、周状突起ｔ２の存在により自ずから引っ張られるので、アンテナレドーム１の組み立てを行うことにより、シート３が予め設定した適切な引っ張り力を以って張られることになる。
【００６１】
したがって、アンテナレドーム１においてシート３を引っ張る構造が簡素であるため、構成部品の製造コストが安価であり、組み立てが容易で組み立て性が良好である。
【００６２】
また、アンテナレドーム１のアンテナＡｎへの装着に際し、アンテナレドーム体１Ａにおけるレドーム本体２のそれぞれの係合突起ｋの爪部ｋ１を、アンテナＡｎの縁部突条Ａｎ２に係合することにより、係合突起ｋの爪部ｋ１と各当接リブｒとによりアンテナＡｎの縁部突条Ａｎ２が挟持され、アンテナレドーム体１ＡがアンテナＡｎに保持される。
【００６３】
その後、固定バンド５によりアンテナレドーム体１ＡがアンテナＡｎに確実に固定される。
【００６４】
したがって、アンテナレドーム１のアンテナＡｎへの取り付け、取り外しが容易な構成で、アンテナレドーム１のアンテナＡｎへの脱着が容易である。
【００６５】
よって、アンテナレドーム１の交換も容易に行うことができる。
【００６６】
また、アンテナレドーム１を装着するためのアンテナＡｎへの加工が不要で、アンテナレドーム１を完全なオプション扱いにすることができる。
【００６７】
そのため、降雪地帯等のアンテナレドームを必要とする場合にのみ、手軽に用いることが可能である。
【００６８】
上述した如く、本発明によれば、構成が簡素で部品点数が少なく、取り付け取り外しが容易であるとともにオプション扱いが可能である、安価なアンテナレドームを実現できる。
【００６９】
なお、上述した実施例においては、レドーム本体２とシート３とシート押さえ４との組付けを、レドーム本体２に雌ネジｎ１を形成して、ネジｎ２をシート押さえ４、シート３を挿通してレドーム本体２の雌ネジｎ１に螺着する構成としたが、レドーム本体２の雌ネジｎ１の箇所に貫通孔を形成し、ボルトとナットを用いて組付ける構成としてもよいし、または樹脂製のピンとピン受けを用いて弾性力を利用してピンとピン受けとで留める構成としてもよい。
【００７０】
或いは、レドーム本体２におけるシート支持リング部２Ｂの各雌ネジｎ１とート押さえ４のネジ挿通孔４ｈ１とを形成することなく、それぞれの箇所の一方側にボスを突設し他方側に該ボスが嵌合される嵌合孔を形成して、組み立てに際して、レドーム本体２前面を覆い折り返されたシート３の各取り付け孔３ｈを前記ボスに係合して、レドーム本体２のシート支持リング部２Ｂとシート押さえ４とで折り返されたシート３を挟持してレドーム本体２、シート３、およびシート押さえ４とを固定する構成としてもよい。
【００７１】
或いは、レドーム本体２の各雌ネジｎ１とシート押さえ４のネジ挿通孔４ｈ１とを形成することなく、前記シート押さえ４の後面側にシート固定用のボスを形成し、組み立てに際して、レドーム本体２前面を覆い折り返されたシート３を該シート押さえ４で押さえた後に、シート３の各取り付け孔３ｈをシート押さえ４後面側の該固定用のボスに係合する構成としてもよい。
【００７２】
そして、レドーム本体２、折り返されたシート３、およびシート押さえ４間の固定を別途、例えば洗濯バサミのような態様の固定用部品を複数個用意して、折り返されたシート３を挟持したレドーム本体２とシート押さえ４とを外側から該複数の固定用部品で固定する構成としてもよい。
【００７３】
このように、レドーム本体２、シート３、およびシート押さえ４間の固定方法は、その他の様々な固定方法が適用可能である。
【００７４】
また、上述した実施例においては、レドーム本体２において、周状突起ｔ２を周状突起ｔ１の内側に配置する構成としたが、周状突起ｔ２を周状突起ｔ１の外側に配置する構成としてもよい。
【００７５】
また、上述した実施例においては、レドーム本体２およびシート押さえ４を樹脂成形により製作しているが、アルミ等の金属を用いて製作することも可能である。
【００７６】
この場合、レドーム本体における弾性的性質を有する係合突起の構成に代替して、板バネ、圧縮バネ、樹脂製部品等を用いてアンテナの縁部突条に係合する新たな構成を付加することが必要である。
【００７７】
また、上述した実施例において、レドーム本体２における筒部２Ａの形状は円筒状としたが、矩形状断面を有する筒部等、その他の筒部の形状もアンテナの種類等によって適宜、選択できる。
【００７８】
なお、本発明に関わるアンテナレドームは、開口面を有するアンテナであればスクエア・タイプのアンテナ等、その他の様々な種類のアンテナに対して有効に適用し得ることは言うまでもない。
【００７９】
【発明の効果】
以上、詳述した如く、本発明に関わる請求項１に記載のアンテナレドームによれば、折り返されたシート上の張力設定部をレドーム本体のシート支持リング部およびシート押さえとともに固定手段によって固定することにより、シートがレドーム本体の第１突出部、第２突出部の存在により引っ張られ、シートを適切な引張り力で張ってレドーム本体のシート支持リング部の開口を前方から覆うことが可能である。
【００８０】
よって、シートを適切な引張り力で張る構造が簡素で、製造が容易で製品コストが低廉であり、また、組み立て性が良好である。
【００８１】
また、アンテナレドーム体におけるそれぞれの係合部と当接部とでアンテナの一部を挟持することにより、アンテナレドーム体をアンテナに容易に保持することができる。
【図面の簡単な説明】
【図１】（ａ）および（ｂ）は、本発明に関わる実施例のアンテナレドームをアンテナに装着した状態を示す正面図、および一部切り欠き断面を含む側面図。
【図２】（ａ）、（ｂ）、（ｃ）、および（ｄ）は、本発明に関わる実施例のレドーム本体の正面図、一部切り欠き断面を含む側面図、（ｂ）図のＣ部拡大図、および（ｂ）図のＤ−Ｄ線断面図。
【図３】（ａ）および（ｂ）は、本発明に関わる実施例のシートの正面図、および側面図。
【図４】（ａ）、（ｂ）、および（ｃ）は、本発明に関わる実施例のシート押さえの正面図、（ａ）図のＡ−Ａ線断面図、および（ｂ）図のＢ部拡大図。
【図５】（ａ）および（ｂ）は、本発明に関わる実施例の固定バンドの正面図、および側面図。
【図６】本発明に関わる実施例のレドーム本体にシートを取り付ける過程を示す側面図。
【図７】（ａ）、（ｂ）、および（ｃ）は、本発明に関わる実施例のレドーム本体のシート支持リング部にシートを折り返し取り付けた状態を示す正面図、一部切り欠き断面を含む側面図、および（ｂ）図のＢ部拡大図。
【図８】（ａ）、（ｂ）、および（ｃ）は、本発明に関わる実施例のレドーム本体のシート支持リング部にシートを折り返し取り付けたものにシート押さえを取り付ける過程を示す一部切り欠き断面を含む側面図、レドーム本体のシート支持リング部にシートを折り返し取り付けたものにシート押さえをネジで取り付ける過程を示す一部切り欠き断面を含む要部拡大側面図、およびレドーム本体のシート支持リング部にシートを折り返し取り付けたものにシート押さえをネジで取り付けた結果を示す一部切り欠き断面を含む要部拡大側面図。
【図９】（ａ）および（ｂ）は、本発明に関わる実施例のアンテナレドーム体をアンテナに取り付ける過程を示す側面図、およびアンテナレドーム体をアンテナに保持した状態を示す側面図。
【図１０】（ａ）および（ｂ）は、本発明に関わる実施例のアンテナレドームをアンテナに装着した状態を示す側面図、および（ａ）図のＡ−Ａ線断面図。
【符号の説明】
１…アンテナレドーム、
１Ａ…アンテナレドーム体、
２…レドーム本体、
２Ａ…筒部、
２Ａ１…内周面、
２Ｂ…シート支持リング部、
２Ｂ２…開口、
３…シート、
３ｈ…取り付け孔（張力設定部）、
４…シート押さえ、
４ａ…内孔、
４ｈ１…ネジ挿通孔（第２シート取り付け部）、
５…固定バンド、
５ａ…ネジ穴（連結部）、
５ｋ…取り付け切り起し（位置決め突起）、
５ｎ…ネジ（連結部）、
５ｔ…バンド帯、
Ａｎ…アンテナ、
Ａｎ２…縁部突条（アンテナ外周部）、
ｋ…係合突起（係合部）、
ｎ１…雌ネジ（第１シート取り付け部）、
ｎ２…雄ネジ（固定手段）、
ｒ…当接リブ（当接部）、
ｔ１…周状突起（第１突出部）、
ｔ２…周状突起（第２突出部）、
ｏ…周状凹部（凹部）、
ｓｈ…貫通孔（固定用孔）。
【図１】
2004015317.tif 000003
【図２】
2004015317.tif 000004
【図３】
2004015317.tif 000005
【図４】
2004015317.tif 000006
【図５】
2004015317.tif 000007
【図６】
2004015317.tif 000008
【図７】
2004015317.tif 000009
【図８】
2004015317.tif 000010
【図９】
2004015317.tif 000011
【図１０】
2004015317.tif 000012